【手続補正書】
【提出日】平成17年10月14日(2005.10.14)
【手続補正１】
【補正対象書類名】明細書
【補正対象項目名】全文
【補正方法】変更
【補正の内容】
【書類名】          明細書
【発明の名称】      遠隔局と通信する基地局を選択する方法および装置
【特許請求の範囲】
【請求項１】  遠隔局において、前記遠隔局と通信可能な基地局から受信された信号について信号エネルギーを測定し、
前記信号エネルギーの１つ以上を使用して少なくとも１つの動的閾値を計算し、
第１基地局の信号エネルギーを前記少なくとも１つの動的閾値と比較し、
前記第１基地局の前記信号エネルギーが前記少なくとも１つの動的閾値の少なくとも指定された１つを越えるとき、前記第１基地局を選択するステップを含む遠隔局と通信する基地局を選択する方法。
【請求項２】  前記遠隔局に現在割当てられた通信チャンネルと関連する前記信号エネルギーが、パイロット信号エネルギー値を含む請求項１の方法。
【請求項３】  前記少なくとも１つの動的閾値の前記指定された１つは、前記遠隔局と通信可能な基地局から受信された信号について、前記信号エネルギー上で直線演算を実行することにより計算される請求項１の方法。
【請求項４】  前記直線演算は前記信号エネルギーにおいて、予定の時間期間を越えた変化に応答して前記遠隔局で計算される請求項３の方法。
【請求項５】  前記直線演算は蓄積されたシステムパラメタに応答して前記遠隔局で計算される請求項３の方法。
【請求項６】  前記直線演算は、
前記遠隔局と通信可能な基地局からの前記信号エネルギーを第１変数により乗算し、
前記乗算の積と第２の変数を合計するステップを含む請求項３の方法。
【請求項７】  移動局および基地局間の直接通信に使用される信号処理装置であって、
記憶媒体と、
前記記憶媒体と通信的に接続された少なくとも１つのディジタル信号プロセッサとを含み、前記少なくとも１つのディジタル信号プロセッサが、
前記遠隔局と通信可能な基地局からの受信信号について前記遠隔局で信号エネルギーを測定し、
前記信号エネルギーの１つ以上を使用して少なくとも１つの動的閾値を計算し、
第１基地局の信号エネルギーを前記少なくとも１つの動的閾値と比較し、
前記第１基地局の前記信号エネルギーが前記少なくとも１つの動的閾値の少なくとも指定された１つを越えるとき、前記第１基地局を選択する信号指示を処理することができる信号処理装置。
【請求項８】  前記少なくとも１つのディジタル信号プロセッサが、
前記遠隔局と通信可能な基地局から受信された前記信号エネルギー上で直線演算を実行することにより、前記少なくとも１つの動的閾値の前記指定された１つを計算する指示を処理する請求項７による装置。
【請求項９】  前記少なくとも１つのディジタル信号プロセッサが、
記憶されたシステムパラメタに関して直線演算を計算する指示を処理する請求項８による装置。
【請求項１０】  前記少なくとも１つのディジタル信号プロセッサが、
前記基地局および移動局間に現在割当てられた通信チャンネルと関連する信号エネルギーを、前記少なくとも１つの動的閾値の第2の指定された１つと比較し、
前記基地局の信号エネルギーが前記第2の指定された動的閾値以下に低下するとき、活動セットから基地局を除去する指示を処理する請求項７による装置。
【請求項１１】  前記少なくとも１つのディジタル信号プロセッサが、
活動セットから近隣基地局のセットへ移動するに適していると確認された前記基地局を移転する指示を処理する請求項10による装置。
【請求項１２】  前記少なくとも１つの動的閾値が、前記遠隔局に現在割当てられた通信チャンネルと関連する前記信号エネルギーの平均値に対応する請求項１による方法。
【請求項１３】  前記直線演算がY1と直線関係に行われ、ここに、
Y1=SOFT SLOPE＊COMBINED PILOT＋ADD INTERCEPTである請求項３による方法。
【請求項１４】  前記直線演算がY1と直線関係に行われ、ここに、
Y1=SOFT SLOPE＊COMBINED PILOT＋DROP INTERCEPTである請求項３による方法。
【請求項１５】  前記基地局および前記移動局間の現在割当てられた前記通信チャンネルと関連する前記信号エネルギーが、前記少なくとも１つの動的閾値の第2の指定された閾値以下に低下したなら、活動セットから基地局を除去することをさらに含む請求項１による方法。
【請求項１６】  前記少なくとも１つのディジタル信号プロセッサが、
前記遠隔局に現在割当てられた通信チャンネルと関連する前記信号エネルギーの平均値を使用して、前記少なくとも１つの動的閾値を計算する指示を処理する請求項７による装置。
【請求項１７】  前記システムパラメタが少なくとも１つの前記基地局により提供される請求項９による装置。
【請求項１８】  前記少なくとも１つのディジタル信号プロセッサが、
Y1と直線関係に前記直線演算を行い、ここに、
Y1=SOFT SLOPE＊COMBINED PILOT＋ADD INTERCEPTである指示を処理する請求項８による装置。
【請求項１９】  前記少なくとも１つのディジタル信号プロセッサが、
Y1と直線関係に前記直線演算を行い、ここに、
Y1=SOFT SLOPE＊COMBINED PILOT＋DROP INTERCEPTである指示を処理する請求項８による装置。
【請求項２０】  前記遠隔局に現在割当てられた通信チャンネルと関連する前記信号エネルギーが、パイロット信号エネルギー値を含む請求項７による装置。
【請求項２１】  前記少なくとも１つのディジタル信号プロセッサが、
前記信号エネルギーにおける予定の時間期間を超える変化に応答して、直線演算を計算する指示を処理する請求項８による装置。
【請求項２２】  前記少なくとも１つのディジタル信号プロセッサが、
前記遠隔局と通信可能な基地局からの前記信号エネルギーを第１変数により乗算し、
前記乗算の積と第２の変数を合計する指示を処理する請求項８による装置。
【発明の詳細な説明】
【０００１】
発明の背景
１．発明の分野
本発明は遠隔局と通信する基地局を選択する方法および装置に関する。本発明は無線通信システムにおけるハンドオフを実行するために使用され得る。
２．関係技術の記述
符号分割多元接続(CDMA)変調技術は、多数のシステムユーザが存在する通信を容易にする複数の技術のただ一つである。時分割多元接続(TDMA)、周波数分割多元接続(FDMA)、及び振幅圧伸信号側波帯（ACSSB）のような振幅変調方式など他の技術が知られているけれども、CDMAはこれら他の変調技術を越える重要な利点を有する。多元接続通信システムにおけるCDMAの使用は、本発明の譲受人に譲渡されかつ引用文献として組込まれた“サテライトまたは地上自動中継装置を使用するスペクトラム拡散多元接続通信システム”と題するU.S.特許No．4,901,307および“CDMAセルラー電話システムにおける信号波形を発生するシステムおよび方法”と題するU.S.特許No．5,103,459に開示される。CDMAモバイル通信を提供する方法は、“二重モード広帯域スペクトラム拡散セルラーシステムの移動局−基地局互換性標準”と題するTIA/EIA/IS−95−Aに米国電気通信工業界により標準化された。
【０００２】
前述の特許において、多元接続技術が各々トランシーバを有する多数の移動電話ユーザとして開示され、符号分割多元接続(CDMA) スペクトラム拡散多元接続通信信号を使用しているサテライト自動中継装置あるいは地上基地局（セル基地局またはセルサイトとして知られている）を通して通信する。CDMA通信の使用において、周波数スペクトラムが多元時間を再使用され得、かくしてシステムユーザ容量の増加を許容する。CDMA技術の使用は、他の多元接続技術を使用して達成され得るより非常に高いスペクトル効率をもたらす。
【０００３】
１つの基地局からの異なる伝播経路に沿って伝送されたデータを同時に復調する方法、および１つより多い基地局から重複して供給されたデータを同時に復調する方法は、本発明の譲受人に譲渡されかつ引用文献として組込まれた“CDMAセルラー通信システムにおけるダイバーシティ受信機”と題するU.S.特許No．5,109,390（’390特許）に記述される。’390特許において、別々に復調された信号は伝送されたデータの算定を供給するため結合され、それはどんな一つの経路によりまたはどんな１つの基地局から復調されたデータより高い信頼性を有する。
【０００４】
ハンドオフは全体的にハードハンドオフとソフトハンドオフの２つのカテゴリに分けられ得る。ハードハンドオフにおいて、移動局が初期セルを去り目的地セルに入るとき、移動局は初期セルとの通信リンクを切り、その後目的地セルとの新しい通信リンクを確立する。ソフトハンドオフにおいては、移動局は初期セルとのその通信リンクを切る前に目的地セルとの通信リンクを完成する。かくしてソフトハンドオフにおいて、移動局はある期間、初期セルおよび目的地セルの両方と重複して通信状態にある。
【０００５】
ソフトハンドオフはハードハンドオフより多分セルを見落とすことがはるかに少ない。加えて、移動局がセル境界の近くを移動するとき、環境の僅かな変化に応答して繰返しソフトハンドオフが要求させられるかもしれない。ピンポンとして引用されるこの問題は、またソフトハンドオフにより大きく減じられる。ソフトハンドオフを実行するプロセスは、本発明の譲受人に譲渡されかつ引用文献として組込まれた“CDMAセルラー通信システムにおける通信のソフトハンドオフを提供する方法およびシステム”と題するU.S.特許No．5,101,501に詳細に記述される。
【０００６】
改良されたソフトハンドオフ技術は、本発明の譲受人に譲渡されかつ引用文献として組込まれた“CDMAセルラー通信システムにおける移動局支援ソフトハンドオフ”と題するU.S.特許No．5,267,261に記述される。’261特許のシステムにおいて、ソフトハンドオフプロセスは、移動局のシステム内の各基地局により伝送された“パイロット”信号の強さを測定することにより改良される。これらパイロット強度測定は実行可能な基地局ハンドオフ候補の識別を容易にすることによりソフトハンドオフプロセスを支援する。
【０００７】
実行可能な基地局ハンドオフ候補は４つのセットに分割され得る。第1のセットは活動セットとして引用され、移動局と現に通信にある基地局を備える。第２のセットは候補セットとして引用され、移動局に使用されるべき十分な強度を決定された基地局を備える。基地局は、それらの測定されたパイロットエネルギーが予定の閾値TADDを越えるとき候補セットに加えられる。第３のセットは移動局の近くにある（および活動セットまたは候補セットに含まれない）基地局のセットである。第４のセットは他の全ての基地局からなる残りのセットである。
【０００８】
IS−95-A通信システムにおいて、移動局は、それが現に復調されている順方向通信量チャンネルの何れをも構成しない十分な強度のパイロットを発見するとき、または復調されている順方向通信量チャンネルの１つを構成されるパイロットの強度が時間の予定の期間閾値以下に低下するとき、パイロット強度測定メッセージを送る。移動局は以下の３つの状態の下でパイロットの強度の変化の検出に従ってパイロット強度測定メッセージを送る。
（１）近隣セットの強度または残りのセットパイロットが閾値TADD以上で発見される。
（２）候補セットパイロットの強度がさらにその閾値（TCOMP）だけ活動セットパイロットを超える。
（３）候補セットの活動セットにおけるパイロットの強度が予定の時間期間以上閾値（TDROP）以下に低下した。
パイロット強度測定メッセージは基地局およびデシベルで測定されたパイロットエネルギーを確認する。
【０００９】
ソフトハンドオフの欠点は、それが重複した伝送情報を含み利用可能な通信資源を消費することである。しかし、ソフトハンドオフは通信の質に多大な改良を提供できる。それ故、十分な伝送の質を提供し、移動局ユーザに重複データを伝送する基地局の数を最少にする方法の技術において必要性が感じられる。
【００１０】
発明の概要
発明の１つの態様によれば、遠隔局において、前記遠隔局と通信可能な基地局からの予定の時間期間以上の信号エネルギーの結合を測定し、前記遠隔局において、前記測定に応答して第１閾値を計算し、前記遠隔局において、第１基地局の信号エネルギーを前記第１閾値と比較し、前記遠隔局において、前記第１基地局の前記信号エネルギーが前記第１閾値を越えるとき前記第１基地局を選択することを備え、遠隔局と通信する基地局を選択する方法が提供される。
【００１１】
発明の他の態様によれば、基地局制御器により制御される複数の基地局を備えている通信システムに使用する移動局であって、一組の候補基地局を一緒に備える複数の基地局からの信号を受信する受信機と、受信された信号のパワーを決定する手段と、受信された信号のパワーを第１閾値と比較する第１手段と、その信号が第１閾値よりも大きい受信パワーを有する基地局を確認する手段と、活動セットに包含するに適当であるとして確認された基地局を表している制御器に信号を伝送する手段とを備えた移動局が提供される。
【００１２】
本発明は移動通信システムにおけるソフトハンドオフを提供する新規かつ改良された方法および装置に実施される。最初に、現システムで最大の問題の一つは、活動セットのメンバーが測定されたパイロットエネルギーの固定閾値との比較に従って決定されることが注目される。しかし、移動局への重複通信リンク提供の値は、移動局に提供されている他の信号のエネルギーに強く依存する。例えば、移動局に重複伝送している値は、もし移動局が既に−5ｄBのパイロット強度に対応している信号エネルギーで伝送を受けているなら、−15ｄBのパイロット強度に対応している受信エネルギーを有する信号は多大の値ではないであろう。しかし、移動局への重複伝送は、もし移動局がただ−13ｄBのパイロットエネルギーに対応している信号エネルギーで伝送を受けているなら、−15ｄBのパイロット強度に対応している受信エネルギーの信号は相当な値であるかもしれない。
【００１３】
移動局において、候補セットからのパイロットが修正された活動セットに動かされるべきであることを示すメッセージを送るか否かの決定において、候補セットの各パイロットの測定されたパイロットエネルギーは、活動セットのパイロットのエネルギー（即ち、EC/IO）の合計である変数COMBINED PILOTに従って発生された閾値に対して繰返し比較される。好ましい実施例において、この閾値の最適値は、空中にこれらの閾値を送ること、あるいは基地局において移動局の要求を検証することの必要なく、移動局それ自身により決定される。もし候補セットの最強パイロットがこの閾値状態を満足するなら、それは修正された活動セットに加えられ、COMBINED PILOTは新たに加えられたパイロット信号を含むように再計算される。
【００１４】
候補セットのメンバーに実行される繰返しプロセスに従って、パイロットが修正された活動セットから除去されるべきか否かを決定するため、第２の反復プロセスが実行される。この演算において、パイロットは修正された活動セットの最弱メンバーから最強メンバーへ試験される。COMBINED PILOTエネルギー値が活動セットに属する全パイロットのエネルギーの合計として計算される。閾値は前述のようにCOMBINED PILOT値に従って発生され、試験されるパイロット信号はその閾値と比較される。再び、この閾値は過剰発信を避けるため移動局で決定される。もしパイロットが時間の予定の期間に閾値以下になったなら、かかるパイロットが落とされるべきであることを指示するメッセージが基地局に送られるであろう。
【００１５】
修正された活動セットリストは、移動局が通信中の基地局を通して基地局制御器に伝送される。基地局制御器は移動発生修正活動セットリストの基地局で通信リンクを設定し、リンクが設定されたとき移動局のため承認を発生する。それから移動局は修正された活動セットの基地局を通して通信を行う。
【００１６】
好ましい実施例において、移動局はパイロット信号を監視し、監視されたパイロット信号に応答して、移動局は候補セットのメンバーを編集する。さらに、移動局は、活動セットおよび候補セットのパイロットの測定エネルギーにより前述された基準の観点で、現活動セットに切換が好ましいか否かを決定し、通信環境のそれ自身の判定に基づいて必要な閾値を動的に調節する。活動セットの好ましいメンバー間における何らかの切換を決定した上、移動局は、前述されたように候補および活動セットの全パイロットの確認、それらの対応している測定されたエネルギー値、およびパイロットがセットに残るべきか近隣セットに動かされるべきかの対応している指示を含むパイロット強度測定メッセージを発生する。
【００１７】
本発明の特徴、目的および利点は、同じ参照符号が対応的に同一視する図と関連して取られた以下に示す発明の実施例の詳細な説明からより明確になるであろう。
【００１８】
好適な実施例の詳細な説明
図１は地理的な領域がセルとして引用された適用領域に分割され、一組の隣接する六角形により図解された無線通信網を示す。各セルは対応している基地局４により役立てられる。各基地局４はその基地局を独特に確認するパイロット信号を伝送する。例示的実施例において、基地局４はCDMA基地局である。無線CDMA通信システムにおけるソフトハンドオフの詳細な記述は前述のU.S.特許No．5,101,501および5,267,261に詳細に述べられている。
【００１９】
移動局２は基地局４Ａにより供給されるセル内に位置する。移動局２はセル境界の近くに位置されるので、それは１つの基地局以上と同時に通信にあるソフトハンドオフ状態にあるであろう。例えばそれは、基地局４Ａおよび４Ｂと通信にあるかもしれない。かくして、基地局４Ａおよび４Ｂは活動セットを作ると言われる。さらに、移動局２は、予定の閾値TADD以上の測定されたパイロットエネルギーを持つため他の基地局を決定され、しかしこれらの基地局は移動局と現に通信にはないかもしれない。これらのパイロットは候補セットを作ると言われる。候補セットは基地局４Ｃおよび４Ｇに作られ得た。
【００２０】
図２を参照すると、典型的な通信網が図示される。移動局２に向けられたデータは、公衆交換電話網または他の無線システム（示されない）から基地局制御器６に供給される。基地局制御器６は移動局２の活動リストにある基地局にデータを供給する。例において、基地局制御器６は基地局４Ａおよび４Ｂにデータを重複して供給し、これら基地局からデータを受信する。
【００２１】
本発明は各セルがセクタに分割される状態に等しく適用可能である。各セクタへまたはセクタからの通信は移動局２により別々に受信されかつ表示される。簡単化のため、基地局４の各基地に基地局が独特に配置される議論が記述されるであろう。しかし、基地局が一箇所に置かれることができる可能性を考慮し、かつセル内で別々のセクタに伝送することによるだけで、本発明がセクタ化されたセルに等しく適用可能であることは、技術に熟練した者により既に理解されるであろう。移動局がセルの１つのセクタ以上と同時通信にある状態はよりソフトハンドオフとして参照される。よりソフトハンドオフを実行する方法および装置は、本発明の譲受人に譲渡されかつ引用文献として組込まれた、1993年10月30日出願の“共通基地局のセクタ間でハンドオフを実行する方法および装置”と題するU.S.特許出願No．08/144,903に詳細に記述される。
【００２２】
移動局２内で、データパケットの各コピーが別々に受信され、復調されかつ復号される。復号されたデータは復調されたデータの判定の何れの一つよりもより信頼性の高いデータの判定を与えるため結合される。
【００２３】
図３は移動局２をより詳細に図解する。移動局２は連続的にあるいは間欠的に基地局４のパイロット信号の強さを測定する。移動局２のアンテナ５０により受信された信号は送受切換器５２を通して受信した信号を増幅し、ダウンコンバートしかつ濾波する受信機(RCVR)５４に供給され、探索サブシステム５５のパイロット復調器５８にそれを供給する。
【００２４】
加えて、受信された信号は通信量復調器６４Ａ−６４Ｎに供給される。通信量復調器６４Ａ−６４Ｎ、またはそのサブセットは移動局２により受信された信号を別々に復調する。通信量復調器６４Ａ−６４Ｎからの復調された信号は、復調されたデータを結合し、次に伝送されたデータの改良された判定を提供する結合器６６に供給される。
【００２５】
移動局２はパイロットチャンネルの強度を測定する。制御処理装置６２は探索処理装置５６に取得パラメタを供給する。CDMA通信システムの例示的実施例において、制御処理装置６２は探索処理装置５６にＰＮオフセットを供給する。探索処理装置５６は受信信号を復調するためパイロット復調器５８により使用されるＰＮシーケンスを発生する。復調されたパイロット信号は、予定の時間長エネルギーを蓄積することにより復調されたパイロット信号のエネルギーを測定するエネルギー蓄積器６０に供給される。
【００２６】
測定されたパイロットエネルギー値は制御処理装置６２に供給される。例示的実施例において、制御処理装置６２はエネルギー値を閾値TADDおよびTDROPと比較する。TADDは受信信号が移動局２との通信を効果的に提供するに十分な強度である閾値以上である。TDROPは受信信号エネルギーが移動局２との通信を効果的に提供するに不十分である閾値以下である。
【００２７】
移動局２は、TADDより大きいエネルギーを有する全てのパイロット、およびその測定されたパイロットエネルギーが予定の時間期間より長くTDROP以下に落ちなかった現活動セットの全数を含むパイロット強度測定メッセージを伝送する。例示的実施例において、移動局２は、以下の３つの状態のもとでパイロットの強度における変化の検出に従って、パイロット強度測定メッセージを発生しかつ伝送する。
（１）近隣セットまたは残りのセットのパイロット強度が閾値（TADD）以上で発見される。
（２）候補セットのパイロット強度が活動セットパイロット強度を閾値（TCOMP）以上だけ越える。
（３）活動セットのパイロット強度が予定の時間期間より長い間閾値（TDROP）以下に落ちた。
例示的実施例において、パイロット強度測定メッセージはパイロットを確認し、かつ対応している測定されたパイロットエネルギーを提供する。例示的実施例において、パイロット強度測定メッセージの基地局はそれらのパイロットオフセットにより確認され、それらの対応する測定されたパイロットエネルギーがデシベルのユニットに供給される。TADDおよびTDROPの値は移動局２に予めプログラムされてもよいし、基地局４により移動局２に供給されてもよい（図４参照）。さらに、移動局２それ自身により計算されてもよい。
【００２８】
制御処理装置６２はパイロットの確認およびそれらの対応している測定されたパイロットエネルギーをメッセージ発生器７０に供給する。メッセージ発生器７０は情報を含んでいるパイロット強度測定メッセージを発生する。パイロット強度測定メッセージは、メッセージを符号化し、変調し、アップコンバートしかつ増幅する送信機(TMTR)６８に供給される。メッセージは送受切換器５２およびアンテナ５０を通して伝送される。
【００２９】
図４を参照すると、パイロット強度測定メッセージが基地局４のアンテナ３０により受信され、受信信号を増幅し、ダウンコンバートし、復調しかつ復号する受信機(RCVR)２８に供給され、かつメッセージを基地局制御器(BSC)インターフェイス２６に供給する。基地局制御器(BSC)インターフェイス２６は基地局制御器(BSC)６にメッセージを送る。メッセージは選択器２２に供給され、それはまた移動局２と通信にある他の基地局から重複してメッセージを受信するかもしれない。選択器２２は改良されたパケット判定を提供するため、移動局２と通信にある基地局から受信されたメッセージ判定を結合する。選択器２２から基地局４のBSCインターフェイス２６で受信された、移動局２のために意図された信号は、送信機３２に提供される。送信機３２はパケットを変調し、アップコンバートしおよび増幅し、それらをアンテナ３４に供給する。
【００３０】
好ましくは、移動局２はパイロット信号を監視し、前述の各セット（活動、候補および近隣）のメンバーを編集する。加えて、移動局２は、好ましくは現活動セットにおける切換が以下の直線関係に従って好ましいか否かを決定する。
【数１】
2001510974.tif 000001
【００３１】
【数２】
2001510974.tif 000002
【００３２】
ここにＹ1は、移動局が修正された活動セットにそれを加えることを要求するであろう以前に、候補セットパイロットの測定されたエネルギーが上昇しなければならない動的閾値以上であり、Ｙ2は、移動局が活動セットから候補セットにそれを動かすことを要求するであろう以前に、活動セットパイロットの測定されたエネルギーが低下しなくてはならない動的閾値以下である。ヒステリシスを提供するため、Ｙ1は好ましくはＹ2よりも大きい。
【００３３】
式（１）および（２）から、もし特定の活動セットパイロット測定エネルギーがＹ2以下に低下すると、候補セットに移動されることが見られ得る。加えられるべき同じパイロットが修正された活動セットに戻るためには、２つのことの１つが起らねばならず、COMBINED PILOTの値がある量Δ１だけ減少するか、パイロットの自身測定エネルギーがある量Δ２だけ増加することである。かくして、Δ１およびΔ２はCOMBINED PILOTのヒステリシス値、および与えられたパイロットをそれぞれ活動セットの内外移動から防ぐためにそれぞれ必要な個々のパイロットエネルギーであることが見られ得る。
【００３４】
かくして、COMBINED PILOT値がＸ1以下かそれに等しいとき、パイロットは修正された活動セットに加えられるべきであり、COMBINED PILOT値がＸ2より大きいかそれに等しいとき、活動セットから落とされるべきである。式（１）および（２）から以下が示され得る。
【数３】
2001510974.tif 000003
【００３５】
【数４】
2001510974.tif 000004
【００３６】
【数５】
2001510974.tif 000005
【００３７】
この関係はさらに図５に図解される。動的閾値Ｙ1およびＹ2は、結合されたパイロットエネルギー（即ち、EC/IO）ｄBの関数としてｄBでプロットされる。見られるように、それらは両方SOFT SLOPE（即ち、式（３）からΔ２/Δ１）の傾斜を有し、かつそれぞれADD INTERCEPTおよびDROP INTERCEPTのy‐インターセプトの直線関数である。y‐インターセプト値は負であってもよく、図５にDROP INTERCEPTが負の値として図示されることに注目すべきである。
【００３８】
SOFT SLOPEの例示的値は２である。好ましい実施例において、移動局２は、図３を参照して上述されたように、活動および候補セットの両方の全パイロットの変動を監視することによりΔ１およびΔ２の好ましい値を判定し、それから式（３）の関係を適用してSOFT SLOPEの値をそれ自身計算してもよい。移動局２および特別に制御処理装置６２は、時間の予定の量を超えるCOMBINED PILOTの変化を測定することによりΔ１の値を判定してもよい。例えば、好ましい実施例において、ハンドオフ要求を引き起こすことからCOMBINED PILOTの自然な変化を防ぐため、Δ１は予定の期間を越えるCOMBINED PILOTの標準偏差に等しい。加えて、好ましい実施例において、TADDおよびTDROP間の差がΔ２のため要求されるヒステリシスと同程度であるので、Δ２はTADDおよびTDROP間の差に等しく設定されてもよい。
【００３９】
既に議論したように、Ｘ1は修正された活動セットに加えられるべきパイロット（即ち、Ｙ1がTADDを切るところ）を引き起こすに十分であるCOMBINED PILOTの値として示される。また、Ｘ2は活動セットから落とされるべきパイロット（即ち、Ｙ2がTDROP を切るところ）を引き起こすに十分であるCOMBINED PILOTの値として示される。Ｘ2の値は移動局に予めプログラムされてもよく、または基地局から送信メッセージとして移動局に提供されてもよい。好ましい実施例において、十分な丈夫な順方向リンクを提供し、同じく不必要な重複を避けるため、それは十分に高い値である。Ｘ2の例示的値は−7.11ｄBである。好ましい実施例において、移動局はΔ１、Δ２およびＸ2とTDROPの知られた値のその計算から値Ｘ1をそれ自身決定してもよい。かくして、もしΔ１＝1.5、Δ２＝3、Ｘ2＝−7.11ｄB、およびTDROP＝−12.44ｄBなら、上記式（１）−（５）によりSOFT SLOPE＝２、ADD INTERCEPT＝4.78ｄB、DROP INTERCEPT＝1.78ｄBおよびＸ1＝−7.61ｄBである。
したがって、決定は以下のように進む：
式（４）から、
DROP INTERCEPT=−12.44−（−7.11）＊2=1.78
式（５）から、
ADD INTERCEPT=1.78+3=4.78
モデルはTADD=−10.44を知っているので、式（５）からＸ1の値はY1= TADDに関してCOMBINED PILOTの値に対応し、式（１）から、
−10.44=2＊Ｘ1+4.78
それ故  Ｘ1=−15.22／2=−7.61
我々は値Ｘ1が決定される必要がないことを強調したい。Ｘ1の決定は古い非動的閾値方法と比較目的のみのため含まれた。
【００４０】
上に示されたハンドオフパラメタは移動局２で発生される。これらのハンドオフパラメタは、修正された活動セットを発生するため以下に記述されるように使用される。基地局４または基地局制御器６よりはむしろ移動局２にハンドオフパラメタを発生することにより、それらは非常に速くかつ余分な送信なく発生される。加えて、これは基地局４または基地局制御器６で如何なる確認計算を実行することも避ける。移動局２は図３に関して上述されたように受信されたパイロットエネルギーを測定する。パイロットエネルギー値は制御処理装置６２に供給される。応答として、制御処理装置６２はハンドオフパラメタを発生する。もし、移動局により発生されたハンドオフに基づいて、パイロットが現活動セットに加えられる、あるいはそれから落とされることを要求されるなら、移動局２は基地局４を通して基地局制御器６に修正された活動セットのメンバーを指示するメッセージを伝送する。基地局制御器６は移動局２と通信を設定する。移動局２は移動発生修正活動セットに従って受信された信号を復調するため、通信量チャンネル復調器６４Ａ−６４Ｎを再構成する。
【００４１】
例示的実施例において、移動局２の制御処理装置６２は図６に示された方法に従って修正された活動セットを発生する。ブロック２００において、閾値TADDを越える測定エネルギーを有するパイロットが候補リストに加えられ、それに対して測定エネルギーが予定の時間期間以上の間TDROP以下に落ちたパイロットが候補リストから除去される。例示的実施例において、パイロットがTDROP以下である時間が制御処理装置６２内にTTDROPタイマーとしてここに参照されたタイマーにより追跡される。TTDROPタイマーはパイロットが落下閾値以下であった時間の追跡を保つタイマーである。TTDROPタイマーの目的は、速いフェジングのような伝播環境における短い持続変化により、弱く測定されたエネルギーを有する強いパイロットを誤って落とすことを避けることである。
【００４２】
ブロック２０２において、候補リストのパイロットが最強から最弱まで分類される。かくして、PC1はPＣ2より強く、そのようにしてPCiは好ましくはEIA/TIA/IS−95Aのパラグラフ6.6.6.2.2に定義されたように候補パイロットＩのEＣ/IOである。ブロック２０４において、変数COMBINED PILOTは活動セットの全パイロットのエネルギーに等しく設定される。またブロック２０４において、ループ変数（ｉ）が値１に初期化される。ブロック２０６において、候補セットメンバーPCiは、それが修正された活動セットのメンバーを作られるべきであるか否かを決定するため試験される。PCiはCOMBINED PILOTの現在値に従って発生された閾値に対して比較される。例示的実施例において、閾値（Ｙ1）が上記式（１）に従って発生される。
【００４３】
もしPCiのパイロットエネルギーが閾値Ｙ1を越えるなら、流れはブロック２０８に動く。ブロック２０８において、パイロット強度測定メッセージ(PSMM)は移動局２からパイロットPCiが活動セットに加えられることを要求している基地局４に送られる。基地局４はそれからパイロットPCiを加えるため移動局２を管理している応答メッセージを活動セットに送る。ブロック２１０において、COMBINED PILOTの新しい値が計算され、それはCOMBINED PILOTの古い値にパイロットPCiのエネルギーをプラスしたものに等しい。ブロック２１２において、ループ変数（ｉ）が増加される。
【００４４】
ブロック２１３において、候補セットの全てのパイロットが試験されたか否かが決定される。もし候補セットの全てのパイロットが試験されていなかったなら、そのとき流れはブロック２０６に動き、前述のように進行する。もし候補セットの全てのパイロットが試験され、あるいはブロック２０６に戻り、PCiのパイロットエネルギーが閾値Ｙ1を越えないなら、そのとき流れはブロック２１４に動く。ブロック２１４において、修正された活動セットはより低いエネルギーからより高いエネルギーに分類される。かくして、PA1は受信された活動セットにおける最小測定エネルギーを有し、PA2は２番目に低い値を有し、そのように受信活動セットの最後の数PANにまで上がる。
【００４５】
ブロック２１８において、ループ変数ｉが１に設定される。ブロック２２０において、PAiを試験するためCOMBINED PILOTが計算される。COMBINED PILOTの値は現に活動セットにある全パイロットの測定エネルギーの合計に等しく設定され、現に試験されているパイロットよりも大きいエネルギーを有する。かくして、COMBINED PILOTは次式により決定される。
【数６】
2001510974.tif 000006
【００４６】
ここにNは活動セットにおけるパイロットの数である。
【００４７】
ブロック２２２において、試験されている現パイロットがCOMBINED PILOTの計算された値に従って決定された閾値（Ｙ2）に対して比較される。例示的実施例において、閾値Ｙ2は上記式（２）に従って決定される。もし測定されたパイロットエネルギーPAiが閾値Ｙ2を越えるなら、そのとき流れはブロック２２４に動き、パイロットPAiからPANへのTTDROPタイマーはゼロにリセットされ、修正された活動セットの決定がブロック２３４で終わる。
【００４８】
もし測定されたパイロットエネルギーPAiが閾値Ｙ2を越えないなら、そのとき流れはブロック２２６に動く。ブロック２２６において、PAiのTTDROPタイマーが終了されたか否かが決定される。もしTTDROPタイマーが終了されたなら、そのときブロック２２８において、移動局２は、パイロットPAiが活動セットから取り除かれかつ候補セットに置かれることを要求している基地局４にPSMMを送る。基地局４は承諾応答メッセージを送り、流れはブロック２３０に進む。もしブロック２２６において、PAi のTTDROPタイマーが終了しなかったなら、そのとき流れは直接ブロック２３０に進む。ブロック２３０において、ループ変数（ｉ）が増加される。それからブロック２３２において、活動セットPAiの全パイロットが試験されたか否かが決定される。もし活動セットの全パイロットが試験されたなら、そのとき流れはブロック２３４に進み、修正された活動セットの発生は完全である。もし活動セットの全パイロットが試験されなかったなら、そのとき流れはブロック２２０に進み、上述のように進行する。
【００４９】
図７は本発明の作動の状態図を示す。与えられたパイロット、PNiが近隣セット７００に始まるかもしれない。もしパイロットPNiのEC/IOが閾値TADDを越えるなら、そのときそれは移動局２により候補セットに加えられる。もしパイロットPCiが候補セット７０２にあり、そのEC/IOが閾値TDROP以下に落下し、そのTTDROPタイマーが終了するなら、そのとき移動局２により候補セット７０２から近隣セット７００に移動される。これら２つの移行は図６のブロック２００に対応して、候補セットからパイロットの加除として記述された。
【００５０】
もしパイロットPCi のEC/IOが候補セットにおいて上記式（１）に従って決定されたように動的閾値Ｙ1を越えるなら、そのときPSMM７０６は移動局２によりPCiが活動セット７０８に加えられることを要求している基地局４に送られる。応答において、基地局４は、PCiを加えるため移動局２を管理している延長されたハンドオフ指示メッセージ(EHDM)を活動セット７０８に送る。これら２つの移行は図６のブロック２０２−２１３に対応して記述された。
【００５１】
もしパイロットPAiのEC/IOが、活動セットにおいて動的閾値Ｙ2より小さく、かつそのTTDROPタイマーが終了するなら、移動局２はPSMM７１０をパイロットPAiが活動セットから落とされることを要求する基地局４に送る。応答として、基地局４は、PAi を落下するため移動局２を管理しているEHDMを活動セットから候補セット７０２に送る。これら２つの移行は図６のブロック２１４−２２８に対応して記述された。
【００５２】
もしパイロットPAiのEC/IOが、活動セットにおいて閾値TDROPより小さく、かつそのTTDROPタイマーが終了するなら、移動局２はPSMM７０４をパイロットPAiが活動セットから落とされることを要求する基地局４に送る。応答として、基地局４は、PAi を落下するため移動局２を管理しているEHDMを活動セットから近隣セット７００に送る。これら２つの移行についてはここに対応する流れ図がない。
【００５３】
好ましい実施例の前記記述は、本発明を作りまたは使用するために技術に熟練した者ならだれでも可能に提供される。これら実施例に対する種々の変形例が技術に熟練した者にすでに明らかであり、ここに定義された基本的原理は発明の能力を使用することなく他の実施例に適用され得る。かくして、本発明はここに示された実施例に限定されることを意図せず、ここに開示された原理および新規な特徴と合致した最も広い範囲に従うべきである。
【図面の簡単な説明】
【図１】
セルラー通信網の図解である。
【図２】
図１のセルラー通信網の図解であり、基地局制御器を含む。
【図３】
本発明の実施例である移動局のブロック図である。
【図４】
本発明の実施例である基地局のブロック図である。
【図５】
ソフトハンドオフパラメタに実行された直線演算を図解している、動的閾値対動的セットにおけるパイロットの結合されたエネルギーのグラフである。
【図６】
移動局における修正された活動セットを発生する方法の流れ図である。
【図７】
本発明の作動を図解する状態図である。
【符号の説明】
２…移動局、  ４、４Ａ−４Ｓ…基地局、  ６…基地局制御器、  ５０、３０、３２…アンテナ、  ５２…送受切換器、  ５４、２８…受信機、  ５６…探索処理装置、  ５８…パイロット復調器、  ６０…合計器、  ６２…制御処理装置、  ６４、６４Ａ−６４Ｎ…通信量チャンネル復調器、  ６６…結合器、  ６８、３２…送信機、  ７０、２４…メッセージ発生器、  ２０…ハンドオフ制御処理装置、  ２２…選択器、  ２６…基地局制御器インターフェイス。
【手続補正２】
【補正対象書類名】図面
【補正対象項目名】図２
【補正方法】変更
【補正の内容】
【図２】
2001510974.tif 000007
【手続補正３】
【補正対象書類名】図面
【補正対象項目名】図３
【補正方法】変更
【補正の内容】
【図３】
2001510974.tif 000008
【手続補正４】
【補正対象書類名】図面
【補正対象項目名】図４
【補正方法】変更
【補正の内容】
【図４】
2001510974.tif 000009